(57)【特許請求の範囲】
【請求項１】
機関砲(1)を砲台(2)の砲台軸支部(3)により俯仰自在に設け、弾薬箱(7)からの弾薬(35)をダクト(6)を介して前記機関砲(1)の側部から送弾するようにした機関砲装置の送弾装置において、前記機関砲(1)の側部に接続された前記ダクト(6)に設けられた送弾軸支部(8)を設け、前記ダクト(6)は前記送弾軸支部(8)により俯仰するように構成した機関砲装置の送弾装置において、
前記ダクト(6)に接続された第１半筒体(20)と、前記弾薬箱(7)に接続された第２半筒体(21)とにより前記送弾軸支部(8)が構成され、互いに径が異なる前記各半筒体(20,21)は互いに摺接結合し、前記ダクト(6)及び送弾軸支部(8)内には前記弾薬(35)が通過するための送弾通路(24)が形成され、
前記ダクト(6)及び送弾軸支部(8)内には、半筒状に形成された多数の送弾片(30)を軸支部(31)を介して作動自在な状態で連結してなるコンベアリンク(32)が移動自在に設けられ、前記弾薬(35)は前記送弾片(30)上に載置されて送弾される構成としたことを特徴とする機関砲装置の送弾装置。
【請求項２】
前記機関砲(1)とダクト(6)は、同時に同じ角度で俯仰するように構成されていることを特徴とする請求項１記載の機関砲装置の送弾装置。
【発明の詳細な説明】
【０００１】
【発明の属する技術分野】
本発明は、機関砲装置の送弾装置に関し、特に、機関砲の砲台軸支部の前方位置にダクトを接続して機関砲装置自体の高さを低くして小型化すると共に、ダクトに送弾軸支部を設けてダクトを軸支することにより、ダクトの構造を簡略化するための新規な改良に関する。
【０００２】
【従来の技術】
従来、用いられていたこの種の機関砲装置としては、例えば特開平７−１２０１９５号公報に開示された構成を図９に示している。
すなわち、図９において符号１で示されるものは、砲台２の砲台軸支部３に軸支され俯仰自在に構成された機関砲であり、この機関砲１の後部に機関部４が設けられている。
前記砲台軸支部３に位置する機関砲１の側部には、図１０で示される送弾装置５のダクト６が接続され、このダクト６はフレキシブルなフレキシブル部分６ａを有していると共に弾薬箱７に接続されている。
前記砲台２は、架台８上に設けられ、この機関砲１の俯仰に応じてこのダクト６のフレキシブル部分６ａは曲折しつつ弾薬を機関砲１の機関部４内に送弾することができるように構成されている。前記ダクト６は、図１１及び図１２に示されるように、多数のダクト片６Ａ、６Ｂ・・・６ｎが互いに曲折自在となるように接続されている。
【０００３】
【発明が解決しようとする課題】
従来の機関砲の送弾装置は、以上のように構成されていたため、次のような課題が存在していた。すなわち、フレキシブルな構成のダクトを用いているため、口径が大きく重量のある弾薬を送弾しようとすると、このフレキシブル部分が大きくたわみ、破損の恐れがあった。また、このたわみを無くそうとすると、フレキシビリティが無くなり、機関砲の俯仰に追随して曲折することが難しく送弾に支障をきたすことになっていた。
また、このフレキシブル部分６ａは、図１１及び図１２に特に示されるように、極めて複雑な多数のダクト片を接続して組立てなければならず、製造コストを低下させることは極めて困難であった。
また、ダクトがフレキシブルな構造であるため、隙間の存在を避けることができず、発射時のガスが砲塔内に侵入するのを防止することは難しく、オペレータに発射ガスがかからないようにするための隔壁又はオペレータを安全な位置に位置させ、砲塔外に機関砲を配置することができるように設計する必要があった。  また、図９に示されるように、砲台軸支部の後方位置に、機関砲の機関部が設けられていたため、機関砲を俯仰させる場合、点線にて示されるように、機関部が地面又は架台に接触しないようにするために、砲台の高さを高くして砲台軸支部の位置を高くする必要があるため、機関砲装置全体の高さを低くすることができず、小型化及び背低型化することが困難であった。
【０００４】
本発明は、以上のような課題を解決するためになされたもので、特に、機関砲の砲台軸支部の前方位置にダクトを接続して機関砲装置自体の高さを低くして小型化すると共に、ダクトに送弾軸支部を設けてダクトを軸支することにより、ダクトの構造を簡略化した機関砲装置の送弾装置を提供することを目的とする。
【０００５】
【課題を解決するための手段】
本発明による機関砲装置の送弾装置は、機関砲を砲台の砲台軸支部により俯仰自在に設け、弾薬箱からの弾薬をダクトを介して前記機関砲の側部から送弾するようにした機関砲装置の送弾装置において、前記機関砲の側部に接続された前記ダクトに設けられた送弾軸支部を設け、前記ダクトは前記送弾軸支部により俯仰するように構成した機関砲装置の送弾装置において、前記ダクトに接続された第１半筒体と、前記弾薬箱に接続された第２半筒体とにより前記送弾軸支部が構成され、互いに径が異なる前記各半筒体は互いに摺接結合し、前記ダクト及び送弾軸支部(8)内には前記弾薬(35)が通過するための送弾通路(24)が形成され、前記ダクト及び送弾軸支部内には、半筒状に形成された多数の送弾片を軸支部を介して作動自在な状態で連結してなるコンベアリンクが移動自在に設けられ、前記弾薬は前記送弾片上に載置されて送弾される構成であり、また、前記機関砲とダクトは、同時に同じ角度で俯仰するようにした構成である。
【０００６】
【発明の実施の形態】
以下、図面と共に本発明による機関砲装置の送弾装置の好適な実施の形態について説明する。なお、従来例と同一又は同等部分には同一符号を用いて説明する。
図１及び図２において符号１で示されるものは機関砲であり、この機関砲１は一対の砲台２に設けられた砲台軸支部３によって矢印Ａ、Ｂの方向に俯仰自在に構成されている。
【０００７】
前記機関砲１の側部には、非柔軟性材料で形成され弧状に曲折して形成されたダクト６が接続されている。このダクト６は、送弾軸支部８によって機関砲と同様に矢印Ａ、Ｂの方向に俯仰するように構成されている。このダクト６の取付位置と砲台軸支部３との間に機関砲１の機関部４が設けられ、この砲台軸支部３の後方には特に機関砲１の装備は設けられていない。
【０００８】
前記送弾軸支部８は、図７で示されるように、互いに径が異なる第１、第２半筒体２０、２１が摺接結合され、その中心に円筒体ガイド２２が側壁２３によって固定配設されている。
前記ダクト６及び送弾軸支部８によって形成された送弾通路２４内には、図６で示されるような半筒状の多数の送弾片３０を軸支部３１によって作動自在な状態で連結した図３で示されるコンベアリンク３２が移動自在に設けられ、この各送弾片３０に弾薬３５が載置されて搬送されるように構成されている。なお、このコンベアリンク３２は、弾薬箱７と機関砲１との間を無端状に移動できるように構成されており、弾薬箱７内で自動によって送弾片３０上に弾薬３５を供給できるように構成されている。
【０００９】
次に、動作について述べる。まず、図４の場合、機関砲１の仰角が０°であるため、この状態で機関砲１を作動させると、弾薬３５は順次水平状態で送弾されて発射される。
また、図５のように機関砲１の仰角を約４５°とすると、砲台軸支部３及び送弾軸支部８を介して機関砲１及びダクト６が同時に連動して約４５°俯仰し、高射砲のように作動することができる。なお、この場合、ダクト６が変形しない硬い材質であるため、機関砲１の動きにつれて同時に俯仰する。
【００１０】
次に、本発明による機関砲１は、前述したように、機関砲１の砲台軸支部３よりも後方には特に必要とする装備は設けられないため、図８に示されるように、機関砲１の長さＡを図９の従来構成よりも大幅に短くなり、俯仰時の障害もなくなり、ダクト６と後端との長さＢも大幅に短縮され、図９の従来構成と比較すると、その背高を大幅に低くすることができる。
【００１１】
【発明の効果】
本発明による機関砲装置の送弾装置は、以上のように構成されているため、次のような効果を得ることができる。すなわち、機関砲の側部に設けられたダクトが砲台軸支部の前方に位置し、かつその後方には機関部が設けられていないため、全体の背高を低く、かつ小型化できる。また、ダクトと弾薬箱とが回動自在な送弾軸支部によって接続されているため、ダクト自体は曲折しないため従来のように柔軟な材料で作る必要がなく、硬いダクトで構成できるため、口径の大きい弾薬でも自在に送弾することができる。
【図面の簡単な説明】
【図１】  本発明による機関砲装置の送弾装置を示す平面構成図である。
【図２】  図１の正面構成図である。
【図３】  図２の要部を示す具体的構成図である。
【図４】  仰角０°時の送弾構成図である。
【図５】  仰角４５°時の送弾構成図である。
【図６】  図３の要部を示す拡大斜視図である。
【図７】  図１の送弾軸支部を示す拡大断面図である。
【図８】  本発明の機関砲装置を示す構成図である。
【図９】  従来の機関砲装置を示す構成図である。
【図１０】  従来の機関砲装置の送弾装置を示す斜視図である。
【図１１】  図１０のダクトを示す拡大斜視図である。
【図１２】  図１１の一部を拡大して示す分解斜視図である。
【符号の説明】
１    機関砲
２    砲台
３    砲台軸支部
４    機関部
６    ダクト
７    弾薬箱
８    送弾軸支部
２０    第１半筒体
２１    第２半筒体
３０    送弾片
３１    軸支部
３２    コンベアリンク
３５    弾薬
【図１】
0004164200.tif 000002
【図２】
0004164200.tif 000003
【図３】
0004164200.tif 000004
【図４】
0004164200.tif 000005
【図５】
0004164200.tif 000006
【図６】
0004164200.tif 000007
【図７】
0004164200.tif 000008
【図８】
0004164200.tif 000009
【図９】
0004164200.tif 000010
【図１０】
0004164200.tif 000011
【図１１】
0004164200.tif 000012
【図１２】
0004164200.tif 000013